(57)【要約】  光線力学的治療法のための治療用ベッド（１）は、患者支持プラットフォーム（３）を備えた、下面と係合するベース部分（２）を有する。カバー（４）はこのベース部分（２）にヒンジ的に取り付けられ、ベース部分（２）と協働して患者治療室（６）を形成し、その患者治療室（６）の中では患者支持プラットフォーム（３）の近くで前もって選択された波長の光を患者（７）に向けるように配置されたＬＥＤパネル（８）からの光に患者（７）が十分にさらされる。この光の波長は患者（７）に投与された関連する感光剤の吸収のピークに対応し、この感光剤は悪性細胞に親和性を有する。
2008512169.tif 000002
【特許請求の範囲】
【請求項１】
患者を収容するための患者治療室であって、該患者が該患者治療室内にいるときに、前もって選択された１つの波長もしくは複数の波長の光に患者の身体を十分にさらすように操作可能な光源を有する患者治療室を含んでなることを特徴とする光線力学的治療法用の治療装置。
【請求項２】
前記光源が、６３０〜７１０ｎｍの範囲の波長を有する光を生成するように操作可能であることを特徴とする請求項１に記載の装置。
【請求項３】
前記光源が、６５８〜６８８ｎｍの範囲の波長を有する光を生成するように操作可能であることを特徴とする請求項２に記載の装置。
【請求項４】
前記光源が、６６３ｎｍの波長を有する光を生成するように操作可能であることを特徴とする請求項３に記載の装置。
【請求項５】
前記光源から前記患者治療室の中に向けられたエネルギー量を感知するための手段が設けられ、前記感知されたエネルギーレベルが所定量に達すると、関連する切換手段が前記光源をオフに切り替えるように設けられていることを特徴とする請求項１から４のいずれか一項に記載の装置。
【請求項６】
前記手段が、前記患者治療室内に取り付けられ、前記光源の動作を調整するコントローラに接続された少なくとも１つの光センサを含み、前記コントローラが、前記光源から前記室内への前記エネルギーレベル入力を決定するための手段を有していることを特徴とする請求項５に記載の装置。
【請求項７】
複数の光センサが前記患者治療室の周りに間隔を置いて取り付けられていることを特徴とする請求項６に記載の装置。
【請求項８】
前記光源が複数の発光ダイオードを含んでなることを特徴とする請求項１から７のいずれか一項に記載の装置。
【請求項９】
発光ダイオードが、前記患者治療室内に取り付けられたいくつかの光発電パネル上に設けられていることを特徴とする請求項８に記載の装置。
【請求項１０】
前記光発電パネルが、前記患者治療室の内壁の周りに配置され、各光発電パネルから前記患者治療室の中央部分に向かって光を向けるように配置されていることを特徴とする請求項９に記載の装置。
【請求項１１】
前記治療装置が、患者支持プラットフォームを備えたベース部分、及び該ベース部分に取り付けられ開位置と閉位置との間で可動なカバーを含むベッドであり、前記カバーが、前記閉位置の場合に前記ベース部分と共に前記患者治療室を画定していることを特徴とする請求項１から１０のいずれか一項に記載の装置。
【請求項１２】
前記患者支持プラットフォームが、前記患者治療室内の中央で患者を支持するように前記ベース部分に取り付けられていることを特徴とする請求項１１に記載の装置。
【請求項１３】
前記患者支持プラットフォームが、前記患者支持プラットフォームの下に配置された前記光源部分からの光の貫通通路となり得るように半透明材料で形成されていることを特徴とする請求項１１又は請求項１２に記載の装置。
【請求項１４】
前記患者支持プラットフォームが透明材料で形成されていることを特徴とする請求項１３に記載の装置。
【請求項１５】
前記患者支持プラットフォームが透明なパースペックス材を含むことを特徴とする請求項１４に記載の装置。
【請求項１６】
前記カバーが、前記閉位置と前記開位置との間で移動できるように前記ベース部分にヒンジ的に取り付けられていることを特徴とする請求項１１から１５のいずれか一項に記載の装置。
【請求項１７】
ラム手段が、持ち上げられた開位置と下げられた閉位置との間で前記カバーの移動を制御するように設けられていることを特徴とする請求項１１から１６のいずれか一項に記載の装置。
【請求項１８】
前記ベース部分及びカバーがＬ字形であり、前記ベース部分が前記患者治療室の底壁及び後壁を形成し、前記カバーが前記患者治療室の頂壁及び前壁を形成し、前記頂壁の内側端部が前記後壁の上方端部にヒンジ的に連結されていることを特徴とする請求項１１から１７のいずれか一項に記載の装置。
【請求項１９】
前記底壁及び頂壁がＶ字形であり、それぞれの壁が、前記患者治療室の中央部分に向かって光を向けるようにその上に取り付けられた光発電パネルを有していることを特徴とする請求項１８に記載の装置。
【請求項２０】
複数の光発電パネルが、前記患者治療室内に六角形配列で配置されることを特徴とする請求項９から１９のいずれか一項に記載の装置。
【請求項２１】
患者に感光剤を投与するステップと、続いて、請求項１から２０のいずれか一項に記載の治療装置によって制御された形で前記患者の身体全体を照射して、前記感光剤を活性化するステップと、を含んでなることを特徴とする医療システム。
【請求項２２】
前記使用される光が、前記使用される感光剤の吸収のピークに対応する１つの波長もしくは複数の波長を有していることを特徴とする請求項２１に記載の治療システム。
【発明の詳細な説明】
【技術分野】
【０００１】
本発明は、癌などの全身性疾患の治療のための治療装置及びシステムに関する。
【背景技術】
【０００２】
近年の最も広範に使用される癌治療には、外科手術、化学療法（様々なタイプのＤＮＡポイズン）、及び電離放射線形態の放射線療法があるが、ほとんど例外なく、これらは播種性腫瘍に対しては効力がなく、広範な副作用を有する。
【０００３】
外科手術には、生命にとって潜在的な脅威となる全身麻酔、長期の回復期間、正常組織の分裂、失血、感染、機能の喪失、痛み、及び説明しきれないほど多くの一連の他の問題を含めた多くの一連の否定的側面がある。
【０００４】
また、化学療法は、生命にとって潜在的な脅威となる多くのよく知られた一連の副作用を有し、更に大多数のタイプの固形腫瘍に有効でなく、特に転移の広がりが生じた場合に効力がない。加えて、化学療法自体に発癌性がある。
【０００５】
放射線もまた発癌性があり、並びに生命の正常な構造及び機能に対して広範で潜在的な側副損傷(collateral damage)という欠点を有する。放射線は非特定的であり、長期間で重大な多くの副作用を有する。
【０００６】
光線力学的治療法は、癌治療として開発されてきた。光線力学的治療法では、患者にはポルフィリンなどの感光剤が投与され、この感光剤は腫瘍に対して特別な親和性を有する。続いて、この感光剤は光で活性化されて腫瘍を破壊する。
【０００７】
光線力学的治療法は、外科手術、化学療法及び／又は電離放射線治療の前、あるいはその後に利用され得る。これら他の治療はいずれも、光線力学的治療法と両立することはなく、この後者の治療と異なり、羅病率を最低限にしてよりよい機能的な結果をもたらすように何の抵抗もなく何回も繰りかえすことはできない。光線力学的治療法による優れた美容上の効果により、機能の保護及び、繊細な下層形態の保全が重要である皮膚障害並びに頭部及び頸部の癌において光線力学的治療法は重要になる。同様に、胸膜及び腹膜の広範囲の部位の治療も、下層組織に容認できない損傷をもたらすことになる放射線とは異なり、比較的容易に処理することができる。主要な腫瘍の摘出手術時に光線力学的治療法を付随的に使用することは、残余の微視的な転移の除去を手助けするのに有益であり得る。最後に、間入式光伝送（光が、画像ガイダンスを受けて腫瘍塊の中に向けられた針を通して光ファイバーの束を挿入することによって伝送される）を革新的に使用すると、６０立方センチメートルの皮下腫瘍を Photofrin で治療するのに成功することができた。主要な血管を避ける配慮は別として、この侵襲性が最小限に抑えられた治療は身体の大多数の部位に適用できる。
【０００８】
バレット食道及び頸部形成異常症は、悪性腫瘍へ頻繁に進行することと関連する健康状態の例証である。光線力学的治療法は、非常に多くの研究において食道の高度な形成異常症に対する良好な治療であることが見出されており、日本ではすでに、頸部形成異常症にPhotofrin の使用が認可されている。
【０００９】
概して言うと、光線力学的治療法は、局所的で識別可能な腫瘍塊又は状態を直接照射するという手法を使用する。内部の腫瘍については、直接的に内視鏡透視により、及び視覚誘導レーザーを使用してこれが適用される。
【００１０】
しかし、大部分の生命にとって脅威となる腫瘍及び癌は、リンパ節に局所的に広がり、又はリンパ系もしくは循環系に広範囲にわたって広がり、遠く離れた構造及び組織に転移した段階で発見される。したがって、従来の治療（化学療法及び放射線治療）又は外科手術の毒性形態は効力がなく、あるいはそれ自体が身体に毒性を有するので、これらの連続使用には厳しい制限がある。
【００１１】
同様に、従来的な意味での光線力学的治療法もまた、光増感剤の照射及びその後の活性化が適用される組織の障害又は部位が限定されるので、限界がある。残念ながら、光線力学的治療法に使用される既知の感光剤もまた、皮膚組織などの正常細胞に親和性を有する。したがって、この光線治療は通常、皮膚及び正常組織への損傷を避けるように、特に既知の腫瘍部位に目標決めされる。また、患者は、治療後数週間は太陽光を避けなければならず、さもないと日焼け又は皮膚かぶれを経験しなければならなくなる。これは、患者にとって明らかに相当に不都合なことである。
【発明の開示】
【発明が解決しようとする課題】
【００１２】
本発明は、これらの問題を克服して改良された治療装置及びシステムを提供することを目的とする。
【課題を解決するための手段】
【００１３】
本発明に従って、患者を収容するための患者治療室であって、患者が患者治療室内にいるときに、前もって選択された１つの波長もしくは複数の波長の光に患者の身体を十分にさらすように操作可能な光源を有する前記患者治療室
を含んでなる光線力学的治療法用の治療装置が提供される。
【００１４】
前記光源によって提供される光の波長又はその複数の波長が、治療装置を使用する前に患者に投与される感光剤の吸収のピークに対応することが好ましい。
【００１５】
本発明の１つの実施形態では、前記光源が６３０〜７１０ｎｍの範囲の波長を有する光を生成するように操作可能である。
【００１６】
他の実施形態では、前記光源が６５８〜６８８ｎｍの範囲の波長を有する光を生成するように操作可能である。
【００１７】
他の実施形態では、前記光源が６６３ｎｍの波長を有する光を生成するように操作可能である。
【００１８】
他の実施形態では、前記光源から前記患者治療室の中に向けられたエネルギー量を感知するための手段が設けられ、この感知されたエネルギーレベルが所定量に達すると、関連する切換手段が前記光源をオフに切り替えるように設けられている。
【００１９】
他の実施形態では、前記手段が、前記患者治療室内に取り付けられ前記光源の動作を調整するコントローラに接続された少なくとも１つの光センサを含み、このコントローラが、前記光源から前記室内への前記エネルギーレベル入力を決定するための手段を有する。
【００２０】
複数の光センサが前記室内に間隔を置いて取り付けられていることが好ましい。
【００２１】
他の実施形態では、前記光源が複数の発光ダイオードを含んでなる。
【００２２】
前記患者治療室内に取り付けられたいくつかの光発電パネルは都合がよい。
【００２３】
他の実施形態では、前記光発電パネルが、前記患者治療室の内壁の周りに配置され、各光発電パネルから前記患者治療室の中央部分に向かって光を向けるように配置されている。
【００２４】
特に好ましい実施形態では、前記治療装置が、患者支持プラットフォームを備えたベース部分、及びこのベース部分に取り付けられ開位置と閉位置との間で可動なカバーを含むベッドであり、前記カバーが、前記閉位置の場合に前記ベース部分と共に前記患者治療室を画定している。
【００２５】
他の実施形態では、患者支持プラットフォームが、患者治療室内の中央で患者を支持するように前記ベース部分に取り付けられている。
【００２６】
他の実施形態では、患者支持プラットフォームが半透明材料で形成されている。患者支持プラットフォームは透明材料で形成されることが好ましい。患者支持プラットフォームは透明なパースペックス材を含むことが好都合である。
【００２７】
他の実施形態では、カバーが、閉位置と開位置との間で移動できるようにベース部分にヒンジ的に取り付けられている。
【００２８】
更なる実施形態では、ラム手段が、持ち上げられた開位置と下げられた閉位置との間で前記カバーの移動を制御するように設けられている。
【００２９】
他の実施形態では、ベース部分及びカバーがＬ字形であり、前記ベース部分が患者治療室の底壁及び後壁を形成し、前記カバーが前記患者治療室の頂壁及び前壁を形成し、前記頂壁の内側端部が前記後壁の上方端部にヒンジ的に連結されている。
【００３０】
他の実施形態では、底壁及び頂壁がＶ字形であり、それぞれの壁が、患者治療室の中央部分に向かって光を向けるようにその上に取り付けられた光発電パネルを有している。
【００３１】
他の実施形態では、本発明は、患者が患者治療室にいるときに前もって選択された１つの波長もしくは複数の波長を有する電磁放射に前記患者の身体を十分にさらす手段を有する患者治療室もしくは囲いを含む光線力学的治療法のための医療装置を提供する。一般に、この電磁放射は４００ｎｍ〜１０００ｎｍの範囲の波長を有し、好ましくは６００ｎｍ〜９００ｎｍ、より好ましくは６２０ｎｍ〜８２０ｎｍ、最も好ましくは６３０ｎｍ〜７１０ｎｍの範囲の波長を有する。
【００３２】
他の実施形態では、患者治療室の周りに延在するランプ手段が提供され、このランプ手段は使用時に前記患者治療室内に配置された患者に向かって光を向けるように作動できる。
【００３３】
他の実施形態では、ランプ手段が、選択された１つの波長もしくは複数の波長の光を放射するように作動可能な干渉光及び／又は非干渉光を用いる発光ダイオード（ＬＥＤ）の配列を含む。
【００３４】
干渉光及び／又は非干渉光を用いるＬＥＤが、患者治療室の周りに取り付けられた多数のＬＥＤパネルに設けられ得ることは好都合である。
【００３５】
更なる実施形態では、前記装置は、ＬＥＤの作動を調整するように前記ＬＥＤに作動可能に接続された制御手段を含む。
【００３６】
他の態様では、患者に感光剤を投与するステップと、続いて、制御された形で選択された１つの波長もしくは複数の波長の電磁放射を用いて前記患者の身体全体を照射して、前記感光剤を活性化するステップと、を含んでなる医療システムが提供される。使用される電磁放射は、使用される感光剤の吸収のピークに対応する１つの波長もしくは複数の波長を有することが好ましい。使用される感光剤は PhotoFlora であることが好ましい。
【００３７】
他の態様では、本発明は、治療用ベッド装置で初期の治療をした後に患者がその自宅で治療コースを継続するための在宅治療ユニット又はキットを提供する。この在宅治療ユニットは、光増感剤を活性化する波長の光を放射するために作動可能なＬＥＤの光パネルを含む。この光パネルには、光使用の時刻及び持続時間などの治療データを記録するマイクロチップを組み込むことが好ましい。遠隔監視ステーションに直接的又は間接的にこの情報をダウンロードし（例えば、在宅治療ユニットと診療所との間で無線ＧＰＲＳ通信を用いて）、推奨治療スケジュールの遵守を確実にするように患者の監視を可能にする手段が提供され得ることが好都合である。
【００３８】
本発明は、添付図面を参照し単なる例として本発明のいくつかの実施形態を説明することによってより明確に理解されよう。
【発明を実施するための最良の形態】
【００３９】
図面を参照して、参照符号１によって全体として示される本発明による治療用ベッドを図示する。このベッド１は、患者支持プラットフォーム３を備えた、下面と係合するベース部分２を有する。ベース部分２に関連するカバー４が、ベース部分２の１つの側面にヒンジ５によってヒンジ的に取り付けられている。カバー４は閉位置にある場合（図２参照）ベース部分２と共に患者治療室６を画定し、その中で患者支持プラットフォーム３に横たわる患者７は、前もって選択された波長の光を患者７に向けるように患者支持プラットフォーム３の周りに配置されたＬＥＤパネル８の配列から全身の光線治療を受けることができる。
【００４０】
ＬＥＤパネル８が取り付けられたベース部分２及びカバー４の内側面は、患者７が横たわる患者支持プラットフォーム３の上方の患者治療室６の中央部分に向かって内側にＬＥＤパネル８から光を向けるように傾斜していることに留意されたい。また図１から、ベース部分２の頭部端部９のところでいくつかのＬＥＤパネル８ａが、患者の頭部に向かって後方及び上方に光を向けるように傾斜した位置に取り付けられていることに留意されたい。ＬＥＤパネル８の配置は患者７を取り囲むようなものであり、患者７の全身を光にさらす。
【００４１】
患者支持プラットフォーム３は透明なパースペックス(perspex)パネルで形成され、ＬＥＤパネル８から患者支持プラットフォーム３を介して患者７へ光を完全に透過することができる。
【００４２】
ベッド１に組み込まれたコントローラ１２は、ＬＥＤパネル８の作動を制御するように作動できる。名前、癌のタイプ、段階、身長及び体重、並びに使用される光増感剤のタイプ、ロットナンバー及び量などの患者に関するデータがコントローラ１２に記録され得る。要求されるジュール単位の光エネルギーの全量についての決定値がコントローラ１２によって自動的に計算される。ベッド１の周りの適切な位置に配置され、コントローラ１２に接続されたセンサ（図示せず）は、患者が受ける光強度のレベルを測定する。関連するクロノメータにより、ベッド１での治療の過程で放出されたジュール単位の光の全量が計算できる。光のジュール量が最適な治療に必要とされる所定量に等しいと、コントローラ１２はＬＥＤパネル８をオフに切り替える。
【００４３】
患者の詳細及び治療パラメータに遠隔的にアクセスするための設備が、中央位置又は遠隔監視ステーションで進行中の臨床研究のためのデータを対照できるように、コントローラ１２の中に組み込まれてよい。
【００４４】
ベース部分とヒンジ５に隣接するカバー４との間に延在するベッド１の各端部での空気圧アーム１０が、ベース部分２の上のカバー４の開閉の制御を容易にする。
【００４５】
ベッド１のベース部分２及びカバー４は、図２及び図３に示されるように断面が略Ｌ字形である。ベース部分２は、治療室６の底壁１３及び直立する後壁１４を形成する。カバー４は治療室６の頂壁１５及び前壁１６を形成する。更に、底壁１３及び頂壁１５の少なくとも内側面はＶ字形である。ＬＥＤパネル８は壁１３、壁１４、壁１５、及び壁１６のそれぞれの内側に取り付けられ、図２で最もよく分かるように、患者７の周りに六角形配列を形成する。
【００４６】
使用時に、患者７にはある量の光増感剤が投与され、この光増感剤はそれが親和性を有する腫瘍に付着する。感光剤が患者に経口的に投与できることが好都合である。続いて、患者７は患者支持プラットフォーム３に横たわり、カバー４が閉じられる。コントローラはＬＥＤパネル８を作動して、患者７の全身の周りに光増感剤に関連した光を向け、光増感剤を活性化して、光増感剤が付着した腫瘍を攻撃し除去する。この光増感剤は癌組織に選択的に集まり、光に露出されると活性化され、一重項酸素として知られる高エネルギーの自由ラジカル形式の酸素を解放する。一重項酸素は癌細胞を内側から外に破壊し、同時に正常組織は大部分影響されないままにしておく。患者が光エネルギーの前もって計算された必要量を受け取ってしまうと、コントローラはＬＥＤをオフに切り替える。
【００４７】
使用される光増感剤は、通常、６００ｎｍ〜９００ｎｍのオーダのより高い波長で活性化され、この波長は身体中への光の透過をより深くすることを考慮している。ベッド１はＬＥＤを含み、このＬＥＤは使用される特定の光増感剤の吸収の正確なピークに対応する特定の波長の光を放射する。これにより、光増感剤の活性化を確実に最大にし、並びに身体の真ん中でも腫瘍を破壊する効力が最大になることで身体の中に深く透過するより高い波長が確実に適用される。ベッド１は、身体の中に深く透過できる光で身体全体を照射するので、これにより広く行きわたった腫瘍の転移伝播を治療するという問題が扱われる。
【００４８】
また、この治療用ベッドは、例えばアテローム性動脈硬化症(atherosclerotic disease)、リウマチ、及び炎症性関節炎など、他の全身性疾患の治療用感光剤との組み合わせで使用できることが予想される。更に、本発明のシステム及び装置を使用して細菌感染、ウイルス感染、及び真菌感染を治療することも可能である。また、乾癬、座瘡、円形脱毛症及びボートワイン母斑、並びに、体毛除去の治療も可能である。同様に、この治療は、無症状のもしくは微小転移巣の転移の縮小又は除去のための予防治療として有用である。癌／感染症その他に罹患しやすくする遺伝的な、職業上又は生活習慣上の習性（喫煙家）を有する人は、この装置の治療によって利益を得ることができよう。
【００４９】
本発明のシステム及び装置は、患者の全身の治療を可能にすることが理解されよう。光増感剤は高度に選択的であり、光線治療を患者が受けると除去される異常細胞に付着する。正常な組織及び構造には悪影響を与えない。このベッドの構成により、腫瘍又は疾患組織に吸収される光増感剤分子の活性化が成功する可能性が確実に最大になるように身体全体についての包括的な適用範囲が与えられる。このシステムでは外来患者の治療が可能になり、副作用がほとんどなく患者の生命の破壊が最小限になる。
【００５０】
全身の光線治療用のベッドを本明細書で説明したが、光線治療の間中患者が起立したり、又は座ったりする部屋など他の構成が可能である。重要なことは、患者の全身が所望の波長の光にさらされることである。
【００５１】
このベッドと共に使用するのに特に適切な光増感剤は PhotoFlora であり、この PhotoFlora は Spirulia などの微視的クロロフィル含有植物に由来する。PhotoFlora はより高い光の波長で活性化され、透過深さをより深くし一重項酸素の収率をより高くすることができる。これは癌に特効性があり、癌組織に優先的に蓄積し、身体から急速に清浄化され、すなわち、通常この PhotoFlora は２４時間内で９５％が新陳代謝され、身体から清浄化される。PhotoFlora は６３３ｎｍの強い吸収バンドを有する塩素誘導体である。これはまた、６５８〜６８８ｎｍの範囲で、腫瘍で激しい蛍光反応を有する。
【００５２】
図５を参照して、患者が先に説明した治療用ベッドで初期治療をした後にある期間にわたってその自宅で治療コースを継続するために使用できる在宅治療ユニットを形成する、参照符号２０を構成する部分によって全体として示される光パネル組立体を図示する。光パネル２０はＬＥＤ２１の配列を含み、このＬＥＤ２１は先にベッドで説明したＬＥＤと同様に関連する光増感剤を活性化するような波長の光を放射する。この在宅治療キットはまた、疾患を治療する際に光パネル２０と協働するために長い治療期間にわたって患者が摂取する光増感剤の貯蔵品も含む。光パネル２０は、光使用の時刻及び持続時間などの治療データを記録するマイクロチップを組み込み、推奨治療スケジュールについての患者の遵守の監視を容易にする。このデータは、ＵＳＢなどを用いて、高まりつつあるＩＲ、Blue Tooth、Ｗｉ−Ｆｉなどの形態の無線技術を利用することでコンピュータ、ラップトップコンピュータ、又はハンドヘルド装置に転送され、続いて、例えば治療診療所の遠隔監視ステーションに転送されてよい。したがって、治療診療所の医療従事者は治療の経過を監視することができる。
【００５３】
使用時に、光増感剤の所要量を摂取した患者は、光パネル２０を操作して治療を必要とするその身体のいかなる部分にもＬＥＤ２１からの光を向けることになる。
【００５４】
本発明は、先に本明細書で説明した実施形態に限定されるものではなく、添付の特許請求の範囲内において構造と詳細を共に変更することができる。
【図面の簡単な説明】
【００５５】
【図１】本発明による治療用ベッドの概略切断立面図である。
【図２】治療用ベッドの断面端部立面図である。
【図３】開位置における上記ベッドのカバーを示す図２と同様の図である。
【図４】上記ベッドの端部立面図である。
【図５】本発明の他の態様による在宅治療ユニットの光パネル形成部分の斜視図である。
【符号の説明】
【００５６】
１  治療用ベッド
２  ベース部分
３  患者支持プラットフォーム
４  カバー
５  ヒンジ
６  患者治療室
７  患者
８  ＬＥＤパネル
８ａ  ＬＥＤパネル
９  頭部端部
１０  空気圧アーム
１２  コントローラ
１３  底壁
１４  後壁
１５  頂壁
１６  前壁
２０  光パネル組立体
２１  ＬＥＤ
【図１】
2008512169.tif 000003
【図２】
2008512169.tif 000004
【図３】
2008512169.tif 000005
【図４】
2008512169.tif 000006
【図５】
2008512169.tif 000007
【国際調査報告】
2008512169.tif 000008
2008512169.tif 000009
2008512169.tif 000010